(57)【要約】【課題】見切りリングを時計ケースに確実に位置決めすることによりクリアランスの偏りを無くし、外観を向上させることができる時計を提供する。【解決手段】  時計ケース２０は、内周面２４に沿って第１の溝部２５を有する。時計ケース２０の内側に配置される見切りリング３０は、外周面３１に第２の溝部３６を有する。第１の溝部２５と第２の溝部３６との間には、弾性を有するＯリング２７が設けられる。すなわち、Ｏリング２７は、第１の溝部２５と第２の溝部３６との間のクリアランスＣＬを覆うので、クリアランスＣＬを目立たないようにすることができる。また、Ｏリング２７は、クリアランスＣＬに伴う見切りリング３０の移動を規制する。このため、クリアランスＣＬが偏るのを防ぐことにより、クリアランスＣＬが目立つのを防止できる。【選択図】  図３
2015117982.tif 000002
【特許請求の範囲】
【請求項１】
内周面に沿って形成された第１の溝部を有する時計ケースと、
前記時計ケースの内側にクリアランスを伴って配置され、外周面に沿って形成された第２の溝部を有する見切り部材と、
前記内周面に形成された前記第１の溝部と前記外周面に形成された第２の溝部との間に設けられる弾性を有する弾性部材とを備え、
前記弾性部材が、前記外周面と前記内周面との間のクリアランスに伴う前記見切り部材の移動を規制していることを特徴とする時計。
【請求項２】
請求項１に記載の時計において、
前記弾性部材が、前記見切り部材を前記時計ケースのほぼ中央に位置させていることを特徴とする時計。
【請求項３】
請求項１又は請求項２に記載の時計において、
時刻を見る側を表面側とし、その反対側を裏面側とした場合に、
前記時計ケースが、前記内周面に形成された前記第１の溝部の裏面側壁面に等しいかより裏面側の位置に、前記見切り部材を受ける受け部を有し、
前記受け部が、前記内周面に沿って内側に出張るようにして形成されていることを特徴とする時計。
【請求項４】
請求項３に記載の時計において、
前記内周面に形成された第１の溝部が前記弾性部材を中央裏面方向に押圧する前記中央裏面方向に向いた第１の傾斜面を有し、
前記外周面に形成された第２の溝部が、前記裏面側に向いた第１の傾斜面で押圧された前記弾性部材を受ける前記表面側方向の外側に向いた第２の傾斜面を有し、
前記見切り部材が、前記弾性部材の押圧によって前記受け部に押圧されることで、衝撃によって前記受け部から離れる方向への移動が規制されていることを特徴とする時計。
【請求項５】
請求項３又は請求項４に記載の時計において、
前記受け部が、内側から外側に向かって切欠かれた切欠部を有し、
前記見切り部材が、前記切欠部に嵌合する前記切欠部の幅とほぼ等しい外径の凸部を有し、
前記切欠部が、前記嵌合した場合に前記凸部が位置する位置よりも外側まで切り欠かれていることで、衝撃を受けた場合に、前記クリアランスの範囲で前記見切り部材は切欠部に沿った方向へ移動するとともに、前記見切り部材に働く衝撃を前記弾性部材が吸収し、その後、前記弾性部材が衝撃を受ける前の位置とほぼ同じ位置に前記見切り部材を位置させることを特徴とする時計。
【請求項６】
請求項５に記載の時計において、
前記時計ケースが、前記時計ケースの外周の対向する位置に、腕に装着するベルトを固定する固定部を有し、
前記時計ケースが、前記時計ケースを表面側から見た場合に、前記固定部の略中央位置同士を結ぶ直線に対して前記時計ケースの略中心位置で略直交する直線を仮定したときに、前記仮定した直線上に位置する受け部に設けられた対向する一対の前記切欠部を有し、
前記見切りリングが前記一対の切欠部に対応した一対の前記凸部を有していることを特徴とする時計。
【発明の詳細な説明】
【技術分野】
【０００１】
本発明は、時計ケースの内周面に設けられた見切りリングを介して時計ガラスが取り付けられている時計に関する。
【背景技術】
【０００２】
従来、時計ケースに時計ガラスを取り付けるのに、見切りリングを介在させる時計が知られている（例えば、特許文献１参照）。
図６に示すように、特許文献１に記載の時計（指針式腕時計）１００は、時計ケース１０１を備えている。時計ケース１０１内の上部には、内面に形成された鍔部１０２上に見切りリング（見切り部材）１０３が配置された状態で時計ガラス１０４がパッキン１０５を介して装着されている。見切りリング１０３は、時計ガラス１０４により鍔部１０２に押し付けられて固定されている。
また、時計ケース１０１内には、時計モジュール１０６が収納されており、時計モジュール１０６の上面には文字板１０９が設けられている。また、時計ケース１０１の下面には、裏蓋１０７がパッキン１０８を介して時計ケース１０１に取り付けられている。
【先行技術文献】
【特許文献】
【０００３】
【特許文献１】特開２０００−８８９７２号公報（第２図）
【発明の概要】
【発明が解決しようとする課題】
【０００４】
ところで、前述した特許文献１に記載の時計等では、見切りリングと時計ケースとは、組込み性を考慮して嵌合径にクリアランスを設けている。
しかしながら、通常設定では外径片側クリアランス０．０５ｍｍ程度あり、全周均一にクリアランスを保ったまま組み込む事が困難で、左右でクリアランス幅に差が生じてしまい、外観的にあまり美しくない。
特に、時計ガラスの裏面と見切りリング上面の距離が開いている場合では、その傾向が顕著である。そのため、従来は、クリアランス部が見えない様に、ガラス上面の外周カットをオーバーラップさせて見え難くさせたり、ガラスに印刷して隠すことが行われている。しかし、これでは時計の表示面が狭く感じるので好ましくない。
【０００５】
本発明は、従来の問題を解決するためになされたもので、見切りリングを時計ケースに確実に位置決めすることによりクリアランスの偏りを無くし、外観を向上させることができる時計を提供することを目的とする。
【課題を解決するための手段】
【０００６】
本願発明に係る１つの態様は、
内周面に沿って形成された第１の溝部を有する時計ケースと、
前記時計ケースの内側にクリアランスを伴って配置され、外周面に沿って形成された第２の溝部を有する見切り部材と、
前記内周面に形成された前記第１の溝部と前記外周面に形成された第２の溝部との間に設けられる弾性を有する弾性部材とを備え、
前記弾性部材が、前記外周面と前記内周面との間のクリアランスに伴う前記見切り部材の移動を規制している時計を提供する。
【発明の効果】
【０００７】
本発明では、時計ケース内周面の第１の溝部と、見切りリング外周面の第２の溝部との間設けられたＯリングが、第１の溝部と第２の溝部との間のクリアランスを覆うので、クリアランスを目立たないようにすることができる。また、Ｏリングは、クリアランスに伴う見切りリングの移動を規制するので、クリアランスが偏るのを防ぐことにより、クリアランスが目立つのを防止して美観を向上させることができるという効果を有する時計を提供できる。
【図面の簡単な説明】
【０００８】
【図１】本発明に係る実施形態の時計の正面図
【図２】（Ａ）は本発明に係る実施形態の時計の要部平面図であり、（Ｂ）は（Ａ）中Ｂ−Ｂ位置の断面図
【図３】図２（Ｂ）中“ＩＩＩ”部分の拡大図
【図４】時計ケースと見切りリングとＯリングとの関係を示す分解図
【図５】Ｏリングの変形に伴って作用する力の説明図
【図６】従来の時計の要部断面図
【発明を実施するための形態】
【０００９】
以下、本発明に係る実施形態の時計について、図面を用いて説明する。
図１に示すように、本発明に係る実施形態の時計１０は、指針式の腕時計に適用することができる。
図１及び図２に示すように、時計１０は、時計ケース２０を有する。時計ケース２０は、全体略リング形状を呈しており、内部には中空部２１を有する。中空部２１には、時計モジュール４０が収容されており、時計モジュール４０の裏面側（図２（Ｂ）において下側）には、裏蓋４５が時計ケース２０に取り付けられている。
【００１０】
時計モジュール４０の表面側（図２（Ｂ）において上側）には、時計ガラス４３が時計ケース２０の表面側端部における内側に、パッキン４４を介して取り付けられる。
なお、本例では、見切りリング３０（見切り部材）と時計ガラス４３との間に微小な隙間が設けられているが（図３参照）、見切りリング３０と時計ガラス４３とは接触しているような場合もある。
また、時計ケース２０の上端部（図１において上端部）及び下端部には、バンド１１を取り付けるための固定部２２が対向して設けられている。
なお、以下の説明においては、時計ガラス４３側を「表面側」と、裏蓋４５側を「裏面側」として説明する。
【００１１】
時計ケース２０の中空部２１に収容されている時計モジュール４０の表面側面と、時計ガラス４３との間には、見切りリング３０が収容される空間４６が設けられている。
時計モジュール４０は、時計機能に必要な電子回路及びアナログムーブメントを備え、その表面側面に文字板４１及び時針、分針、秒針などの指針４２が設けられている。
空間４６には、文字板４１が収容されるとともに、指針４２が運針可能に収容されている。
【００１２】
図３に示すように、時計ケース２０の内面における表面側端部には、時計ガラス４３を嵌めるためのガラス取付面２３が設けられている。ガラス取付面２３は、時計ケース２０の内周に沿って円筒状に設けられている。
時計ケース２０のガラス取付面２３の裏面側には、ガラス取付面２３よりも小さい内径の見切りリング取付面（内周面）２４が設けられている。見切りリング取付面２４は、時計ケース２０の内周に沿って円筒状に設けられている。
【００１３】
図３及び図４に示すように、見切りリング取付面２４の下部（裏面側端部）には、第１の溝部２５が、時計ケース２０の内周に沿って全周に設けられている。
第１の溝部２５には、第１の傾斜面２５１が設けられている。
より具体的には、第１の傾斜面２５１の表面側端部が時計ケース２０の内周面寄りに位置するとともに、裏面側端部が時計ケース２０の外周面寄りに位置して、中央裏面方向に向いた第１の傾斜面２５１になっている。
また、第１の傾斜面２５１の表面側端部から中空部２１に向かって水平方向（上下方向に直交する方向）に延びる上水平面２５２と、第１の傾斜面２５１の裏面側端部から中空部２１に向かって水平に延びる下水平面（裏面側壁面）２５３を有する。
【００１４】
下水平面２５３の見切りリング取付面２４よりも、さらに時計ケース２０の中心側に延長した面が存在し、この延長した面が見切りリング３０を受ける受け面となる。
図４に示されるように、このような見切りリング３０の受け面は、見切りリング取付面２４よりも時計ケース２０の中心側に突出するように形成された受け部２６の表面側の面で構成されている。
なお、本例では、受け部２６の表面側は、下水平面２５３と面一になっているが、見切りリング取付面２４の略真下の位置で、下水平面２５３よりも裏面側に設ける、つまり、下水平面２５３よりも裏面側に一段下がったように受け部２６の表面側の面が形成されても良い。
受け部２６は、内側端部に、内側から外側に向かって切欠かれた切欠部２６１を有する。切欠部２６１は、時計ケース２０の一対の固定部２２の略中央位置同士を結ぶ直線に対して、時計ケース２０の略中心位置で略直交する直線、すなわち、文字板４１における３時と９時とを結ぶ位置に、一対設けられている。なお、図２（Ａ）には、３時位置のみ示しているが、切欠部２６１は、９時位置にも同様に設けられている。
【００１５】
図３及び図４に示すように、時計ケース２０の見切りリング取付面２４（図４参照）の内側に対向して、円形リング形状の見切りリング３０が取り付けられる。
見切りリング３０は、外周面３１、上面３２、斜面３３、内周面３４及び底面３５を有し、全体略台形の断面を有する。
なお、本例では、見切りリング３０の上面３２と時計ガラス４３との間には微小な隙間があるようにしているが、上面３２を時計ガラス４３と接するようにして、見切りリング３０の底面３５が時計ケース２０の受け部２６から離間するのを、さらに規制しても良い。
【００１６】
外周面３１は、時計ケース２０の見切りリング取付面２４に対向する。外周面３１の外径は、見切りリング取付面２４の内径よりも小さく設定されており、外周面３１と見切りリング取付面２４との間には、クリアランスＣＬ（図３参照）が設けられている。クリアランスＣＬは、見切りリング３０が時計ケース２０の内部に均等に取り付けられた状態で、約０．０５ｍｍ設けられている。
従って、クリアランスＣＬがあることにより、見切りリング３０は容易に時計ケース２０に挿嵌されて、移動可能に保持されることになる。
【００１７】
外周面３１の裏面側端部（図４において下端部）には、第２の溝部３６が全周にわたって設けられている。第２の溝部３６には、第２の傾斜面３６１が設けられている。
より具体的には、第２の傾斜面３６１の表面側端部が時計ケース２０の中心側に位置するとともに、裏面側端部が外周面３１に位置して、表面側方向の外側に向いた第２の傾斜面３６１になっている。
第２の傾斜面３６１は、時計ケース２０の第１の溝部２５に設けられている第１の傾斜面２５１と略平行に設けられている。また、第２の溝部３６は、第２の傾斜面３６１の表面側端部から外周面３１に向かって水平方向（上下方向に直交する方向）に延びる上水平面３６２を有する。
【００１８】
底面３５には、円柱形状の凸部３７が裏面側に突出して設けられている。凸部３７は、見切りリング３０の中心に対して対称位置に一対設けられている。凸部３７の外径Ｄ１は、時計ケース２０の受け部２６に設けられている切欠部２６１の幅Ｄ２（図２（Ａ）参照）と略等しい。また、凸部３７の高さＨ１は、切欠部２６１の高さＨ２と略等しいか、若干小さく設定されている。
従って、凸部３７を切欠部２６１に嵌合させると、凸部３７が、切欠部２６１に対して３時−９時方向と直交する方向への移動を規制するので、見切りリング３０の回転（図２（Ａ）において矢印Ａ２方向の移動）を防止する。
【００１９】
一方、切欠部２６１は、見切りリング３０の凸部３７が嵌合した場合に、凸部３７が位置する位置よりも外側（図２（Ａ）において右側）まで切り欠かれている。このため、凸部３７は、切欠部２６１の内部を切欠部２６１に沿って移動可能となっている。
つまり、凸部３７を切欠部２６１に嵌合させた状態で、３時−９時方向に衝撃が作用した際には、見切りリング３０は、見切りリング３０と見切りリング取付面２４との間のクリアランスＣＬの範囲で、３時−９時方向（図２（Ａ）において矢印Ａ１方向）の移動が可能に保持される。
なお、この移動可能としていることに関する効果については、後ほど説明を行う。
【００２０】
時計ケース２０の見切りリング取付面２４の第１の溝部２５と、見切りリング３０の外周面３１の第２の溝部３６の間には、Ｏリング２７（弾性部材）が設けられる。
見切りリング３０を時計ケース２０に取り付けた状態における第１の溝部２５の第１の傾斜面２５１と、第２の溝部３６の第２の傾斜面３６１との間の距離は、Ｏリング２７の外径よりも小さい。
従って、見切りリング３０を取り付けた状態では、Ｏリング２７は、第１の傾斜面２５１と第２の傾斜面３６１との間で押し潰される（図３及び図５参照）。
【００２１】
次に、Ｏリング２７の変形に伴う力を説明する。
図５に示すように、Ｏリング２７が押し潰されることにより発生する弾性力により、第１の溝部２５の第１の傾斜面２５１及び第２の溝部３６の第２の傾斜面３６１は、全周において互いに離反する方向へ付勢される。
ここで、第１の傾斜面２５１は時計ケース２０に設けられているため移動しないので、Ｏリング２７は、第１の傾斜面２５１からの反力Ｆ１により時計ケース２０の中央裏面側に付勢される。
【００２２】
見切りリング３０では、第２の溝部３６の第２の傾斜面３６１が、Ｏリング２７から反力Ｆ１に対応した力Ｆ２を受ける。力Ｆ２は、裏面方向の力Ｆ３と、時計ケース２０の中心側に向く力Ｆ４を有する。
従って、力Ｆ４により、見切りリング３０は、全周にわたって中心方向へ移動しようとする。
また、力Ｆ３により、見切りリング３０は、時計ケース２０の受け部２６に押し付けられて、受け部２６に固定されている。
なお、見切りリング３０の上面３２と時計ガラス４３とを接するように配置して、見切りリング３０が受け部２６から離間する方向への移動をさらに規制しても良い。
【００２３】
本発明の時計１０の作用効果について説明する。
本発明にかかる実施形態の時計１０では、時計ケース２０は、見切りリング取付面２４に沿って第１の溝部２５を有する。時計ケース２０の内側に配置される見切りリング３０は、外周面３１に第２の溝部３６を有する。第１の溝部２５と第２の溝部３６との間には、弾性を有するＯリング２７が設けられる（図４参照）。
【００２４】
すなわち、Ｏリング２７は、第１の溝部２５と第２の溝部３６との間に位置し、クリアランスＣＬを認識し難くするので、クリアランスＣＬを目立たないようにすることができる（図３参照）。
そして、Ｏリング２７は、見切りリング３０の外周面３１と時計ケース２０の見切りリング取付面２４との間のクリアランスＣＬにより許容される見切りリング３０の移動（図２（Ａ）参照）を規制する。
【００２５】
より具体的には、Ｏリング２７が、見切りリング３０を時計ケース２０のほぼ中央に位置させる（図５中力Ｆ４参照）。
このため、見切りリング３０の外周面３１と時計ケース２０の見切りリング取付面２４との間のクリアランスＣＬが均一になり、クリアランスＣＬが目立つのを防止できる。
【００２６】
また、時刻を見る側を表面側とし、その反対側を裏面側とした場合に、時計ケース２０が、見切りリング取付面２４に形成された第１の溝部２５の下水平面２５３に等しいかより裏面側の位置に、見切りリング３０を受ける受け部２６を有する（図３参照）。
そして、受け部２６が、時計ケース２０の見切りリング取付面２４に沿って内側に出張るように形成されているので、見切りリング３０は、時計ケース２０の受け部２６により裏側から支持される。
【００２７】
また、時計ケース２０の見切りリング取付面２４に形成された第１の溝部２５は、Ｏリング２７を中央裏面方向に押圧する第１の傾斜面２５１を有する。また、見切りリング３０の外周面３１に形成された第２の溝部３６は、中央裏面側に向いた第１の傾斜面２５１で押圧されたＯリング２７を受ける表面側方向の外側に向いた第２の傾斜面３６１を有する（図４参照）。
そして、見切りリング３０は、Ｏリング２７の弾性力によって時計ケース２０の受け部２６に押圧される（図５中力Ｆ３参照）。
したがって、時計が落下したりして、衝撃が発生するような場合、見切りリング３０は、見切りリング３０の上面３２と時計ガラス４３との間の隙間の範囲内で時計ガラス４３側へ移動できるが、Ｏリング２７の弾性によって、この移動力（衝撃）が吸収され、時計ガラス４３へ衝突するのが未然に防止される。
仮に、見切りリング３０が時計ガラス４３に衝突したとしても、Ｏリング２７の弾性によって、その衝突力は大幅に減少されているので時計ガラス４３にキズができたりすることを防止することができる。
そして、衝撃が収まれば、Ｏリングの弾性力で見切りリング３０は、時計ケース２０の受け部２６に押圧された元の状態となる。
【００２８】
また、受け部２６は、内側から外側に向かって切欠かれた切欠部２６１を有する。見切りリング３０は、切欠部２６１に嵌合する切欠部２６１の幅とほぼ等しい外径の凸部３７を有する。切欠部２６１は、凸部３７が嵌合した場合に、通常凸部３７が位置する位置よりも時計ケース２０の外側方向位置まで切り欠かれている。
これにより、見切りリング３０は、時計ケース２０の見切りリング取付面２４と見切りリング３０の外周面３１との間のクリアランスＣＬの範囲で、切欠方向へ移動することは可能であるが、回転方向の位置関係は、容易かつ確実に決定される。
そして、時計が落下したりして、衝撃が発生するような場合、見切りリング３０は、時計ケース２０の見切りリング取付面２４と見切りリング３０の外周面３１との間のクリアランスＣＬの範囲で切欠方向へ移動できるが、この移動力（衝撃）は、Ｏリング２７の弾性によって吸収されるとともに、その後、Ｏリング２７の復帰力により、衝撃を受ける前の位置とほぼ同じ位置に見切りリング３０を復帰させることができる。
【００２９】
特に、本例では、時計ケース２０は、時計ケース２０の外周の対向する位置に、腕に装着するバンド１１を固定する一対の固定部２２を有する腕時計を具体例としている。
そして、時計ケース２０では、時計ケース２０を表面側から見た場合に、固定部２２の略中央位置同士を結ぶ直線に対して時計ケース２０の略中心位置で略直交する直線（すなわち、３時−９時線）を仮定したときに、仮定した直線上に位置する受け部２６に、対向する一対の切欠部２６１を配置した場合を例示した。
【００３０】
つまり、受け部２６における３時−９時位置に切欠部２６１を設け、見切りリング３０には、一対の切欠部２６１に対応した位置に、一対の凸部３７を設けた構成になっている。
このことから、時計が落下したりして、衝撃が発生するような場合に、見切りリング３０の切欠方向への移動を許容しつつ、かつ、Ｏリングの弾性で衝撃力を吸収する効果（以下、衝撃吸収効果という）は、本例の場合、３時−９時線方向の衝撃に対して特に発揮される。
一般に、腕時計（時計１０）では、バンド１１が設けられていない方向（３時−９時方向）への衝撃が加わるときが、衝撃力として大きくなる。
本例の場合、この衝撃力が大きくなりやすい方向（３時−９時方向）での衝撃吸収効果を発揮するようになっているので、時計を落下させてしまった場合などの破損を好適に抑制できる。
【００３１】
本発明の時計は、前述した実施形態に限定されるものでなく、適宜な変形，改良等が可能である。
時計ケース２０の第１の溝部２５と見切りリング３０の第２の溝部３６は上記のような形状でなくてもよい。例えば、変形例１として、時計ケース２０の第１の溝部２５は、第１の傾斜面２５１に変えて垂直面を有し、見切りリング３０の第２の溝部３６は、第２の傾斜面３６１に変えて垂直面を有し、第１の溝部２５と第２の溝部３６との間にはＯリング２７が設けられるようにしてもよい。また、変形例２として、時計ケース２０の第１の溝部２５は、上水平面２５２と第１の傾斜面２５１に変えて２つの傾斜面（くの字形状）を有し、見切りリング３０の第２の溝部３６は、上水平面３６２と第２の傾斜面３６１に変えて２つの傾斜面（くの字形状）を有し、第１の溝部２５と第２の溝部３６との間にはＯリング２７が設けられるようにしてもよい。変形例１及び変形例２でも、上記実施形態と同様に、見切りリング３０の外周面３１と時計ケース２０の見切りリング取付面２４との間のクリアランスＣＬが均一になり、クリアランスＣＬが目立つのを防止できる。また、時計が落下したりして、衝撃が発生するような場合、見切りリング３０は、時計ケース２０の見切りリング取付面２４と見切りリング３０の外周面３１との間のクリアランスＣＬの範囲で切欠方向へ移動できるが、この移動力（衝撃）は、Ｏリング２７の弾性によって吸収されるとともに、その後、Ｏリング２７の復帰力により、衝撃を受ける前の位置とほぼ同じ位置に見切りリング３０を復帰させることができる。
上記では、文字盤を備えるアナログ型の腕時計を例示して説明を行ったため、凸部３７と切欠部２６１の位置を３時と９時の位置として説明したが、デジタル型の腕時計でも同様の位置に設けることが望ましい。
その場合、３時と９時の位置は、腕に装着するベルトを固定する固定部の略中央位置同士を結ぶ直線に対して時計ケースの略中心位置で略直交する直線を仮定したときに、その仮定した直線上に位置する受け部に、一対の切欠部を設け、それに対応した凸部を見切りリングに設けることになる。
また、腕時計に限らず、置時計のようなものであっても、見切りリングを用いるものであれば、本発明を好適に適用することが可能である。
以上、この発明のいくつかの実施形態について説明したが、この発明は、これらに限られるものではなく、特許請求の範囲に記載された発明とその均等の範囲を含むものである。
【００３２】
以下に、本願の特許請求の範囲に記載された発明を付記する。
（付記）
請求項１に記載の発明は、内周面に沿って形成された第１の溝部を有する時計ケースと、前記時計ケースの内側にクリアランスを伴って配置され、外周面に沿って形成された第２の溝部を有する見切り部材と、前記内周面に形成された前記第１の溝部と前記外周面に形成された第２の溝部との間に設けられる弾性を有する弾性部材とを備え、前記弾性部材が、前記外周面と前記内周面との間のクリアランスに伴う前記見切り部材の移動を規制していることを特徴とする時計である。
請求項２に記載の発明は、請求項１に記載の時計において、前記弾性部材が、前記見切り部材を前記時計ケースのほぼ中央に位置させていることを特徴とする時計である。
請求項３に記載の発明は、請求項１又は請求項２に記載の時計において、時刻を見る側を表面側とし、その反対側を裏面側とした場合に、前記時計ケースが、前記内周面に形成された前記第１の溝部の裏面側壁面に等しいかより裏面側の位置に、前記見切り部材を受ける受け部を有し、前記受け部が、前記内周面に沿って内側に出張るようにして形成されていることを特徴とする時計である。
請求項４に記載の発明は、請求項３に記載の時計において、前記内周面に形成された第１の溝部が前記弾性部材を中央裏面方向に押圧する前記中央裏面方向に向いた第１の傾斜面を有し、前記外周面に形成された第２の溝部が、前記裏面側に向いた第１の傾斜面で押圧された前記弾性部材を受ける前記表面側方向の外側に向いた第２の傾斜面を有し、前記見切り部材が、前記弾性部材の押圧によって前記受け部に押圧されることで、衝撃によって前記受け部から離れる方向への移動が規制されていることを特徴とする時計である。
請求項５に記載の発明は、請求項３又は請求項４に記載の時計において、前記受け部が、内側から外側に向かって切欠かれた切欠部を有し、前記見切り部材が、前記切欠部に嵌合する前記切欠部の幅とほぼ等しい外径の凸部を有し、前記切欠部が、前記嵌合した場合に前記凸部が位置する位置よりも外側まで切り欠かれていることで、衝撃を受けた場合に、前記クリアランスの範囲で前記見切り部材は切欠部に沿った方向へ移動するとともに、前記見切り部材に働く衝撃を前記弾性部材が吸収し、その後、前記弾性部材が衝撃を受ける前の位置とほぼ同じ位置に前記見切り部材を位置させることを特徴とする時計である。
請求項６に記載の発明は、請求項５に記載の時計において、前記時計ケースが、前記時計ケースの外周の対向する位置に、腕に装着するベルトを固定する固定部を有し、前記時計ケースが、前記時計ケースを表面側から見た場合に、前記固定部の略中央位置同士を結ぶ直線に対して前記時計ケースの略中心位置で略直交する直線を仮定したときに、前記仮定した直線上に位置する受け部に設けられた対向する一対の前記切欠部を有し、前記見切りリングが前記一対の切欠部に対応した一対の前記凸部を有していることを特徴とする時計である。
【符号の説明】
【００３３】
１０  時計
１１  バンド
２０  時計ケース
２２  固定部
２４  見切りリング取付面（内周面）
２５  第１の溝部
２５１  第１の傾斜面
２５３  下水平面（裏面側壁面）
２６  受け部
２６１  切欠部
２７  Ｏリング
３０  見切りリング
３１  外周面
３６  第２の溝部
３６１  第２の傾斜面
３７  凸部
ＣＬ  クリアランス
【図１】
2015117982.tif 000003
【図２】
2015117982.tif 000004
【図３】
2015117982.tif 000005
【図４】
2015117982.tif 000006
【図５】
2015117982.tif 000007
【図６】
2015117982.tif 000008